【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
基地局によって、複数の近隣基地局についてのクリアチャネルアセスメント（ＣＣＡ）結果情報を取得することと、
前記基地局によって、前記基地局によってサービスされる１つまたは複数のユーザ機器（ＵＥ）についての制御シグナリングを生成することと、ここにおいて、前記制御シグナリングは前記ＣＣＡ結果情報に少なくとも部分的に基づく、
前記１つまたは複数のＵＥに前記制御シグナリングを送信することと、
を備える、ワイヤレス通信の方法。
【請求項２】
前記取得することは、
前記基地局によって、前記複数の近隣基地局のうちの少なくとも１つへのバックホール通信リンクを介して前記ＣＣＡ結果情報を受信することと、
前記基地局によって、前記１つまたは複数のＵＥから前記ＣＣＡ結果情報を受信することと、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出することと、
のうちの１つまたは複数を含む、請求項１に記載の方法。
【請求項３】
前記基地局によって、複数の送信フレームにわたって前記複数の近隣基地局のうちの１つまたは複数の近隣基地局から検出された干渉に基づいてヒステリシス干渉情報を取得することと、
前記基地局によって、非同期動作を有する少なくとも１つの近隣基地局に関連する前記ヒステリシス干渉情報を、前記複数の基地局のうちの他の近隣基地局から識別することと、ここにおいて、前記制御シグナリングは、さらに、前記少なくとも１つの近隣基地局に関連する前記ヒステリシス干渉情報に基づいて生成される、
をさらに含む、請求項１に記載の方法。
【請求項４】
前記ヒステリシス干渉情報を前記取得することは、
前記基地局によって、前記基地局についての失敗したＣＣＡを検出することと、
前記基地局によって、前記基地局において経験される前記干渉を測定することと、
前記測定された干渉に少なくとも部分的に基づいて前記ヒステリシス干渉情報を生成することと、
を含む、請求項３に記載の方法。
【請求項５】
前記１つまたは複数のＵＥからＵＥ干渉情報を受信することをさらに含み、
前記ヒステリシス干渉情報を前記生成することは、前記ＣＣＡ結果情報と前記ＵＥ干渉情報とのうちの１つまたは複数を使用して前記測定された干渉を重み付けすることを含む、
請求項４に記載の方法。
【請求項６】
前記ヒステリシス干渉情報を前記取得することは、測定報告の一部として前記１つまたは複数のＵＥから前記ヒステリシス干渉情報を受信することを含む、請求項３に記載の方法。
【請求項７】
前記基地局によって、前記ヒステリシス干渉情報に基づいて前記基地局と前記少なくとも１つの近隣基地局との間の１つまたは複数のタイミングオフセットを決定することをさらに含み、
前記制御シグナリングは、さらに、前記１つまたは複数のタイミングオフセットに基づいて生成される、
請求項３に記載の方法。
【請求項８】
前記基地局によって、ＷｉＦｉ送信を有する少なくとも１つの近隣ＷｉＦｉ基地局に関連する前記ヒステリシス干渉情報を識別することをさらに含み、
前記制御シグナリングは、さらに、前記少なくとも１つの近隣ＷｉＦｉ基地局に関連する前記ヒステリシス干渉情報に基づいて生成される、
請求項３に記載の方法。
【請求項９】
ユーザ機器（ＵＥ）によって、複数の近隣基地局についてのクリアチャネルアセスメント（ＣＣＡ）結果情報を示す送信信号を検出することと、
前記ＵＥによって、ＣＣＡ結果情報を示す前記送信信号に基づいて前記複数の近隣基地局についてのＣＣＡ結果情報推定値を決定することと、
前記ＵＥによって、サービング基地局に測定報告を送信することと、ここにおいて、前記測定報告は前記ＣＣＡ結果情報推定値を含む、
を備える、ワイヤレス通信の方法。
【請求項１０】
ＣＣＡ結果情報を示す前記送信信号は複数の送信フレームにわたって検出され、
前記ＣＣＡ結果情報推定値は前記複数の送信フレームにわたって決定される、
請求項９に記載の方法。
【請求項１１】
ＣＣＡ結果情報を示す前記送信信号は、チャネル使用ビーコン信号（ＣＵＢＳ）とチャネル状態情報基準信号（ＣＳＩ−ＲＳ）とのうちの１つまたは複数を含む、請求項９に記載の方法。
【請求項１２】
前記ＵＥによって、複数の送信フレームにわたって前記複数の近隣基地局から干渉状態を検出することと、
前記干渉状態を、前記複数の近隣基地局からの前記ＵＥにおける干渉に関連するヒステリシス干渉情報に処理することと、ここにおいて、前記ヒステリシス干渉情報は前記測定報告中に含まれる、
をさらに含む、請求項９に記載の方法。
【請求項１３】
ワイヤレス通信のために構成された装置であって、
基地局によって、複数の近隣基地局についてのクリアチャネルアセスメント（ＣＣＡ）結果情報を取得するための手段と、
前記基地局によって、前記基地局によってサービスされる１つまたは複数のユーザ機器（ＵＥ）についての制御シグナリングを生成するための手段と、ここにおいて、前記制御シグナリングは前記ＣＣＡ結果情報に少なくとも部分的に基づく、
前記１つまたは複数のＵＥに前記制御シグナリングを送信するための手段と、
を備える、装置。
【請求項１４】
ワイヤレス通信のために構成された装置であって、
ユーザ機器（ＵＥ）によって、複数の近隣基地局についてのクリアチャネルアセスメント（ＣＣＡ）結果情報を示す送信信号を検出するための手段と、
前記ＵＥによって、ＣＣＡ結果情報を示す前記送信信号に基づいて前記複数の近隣基地局についてのＣＣＡ結果情報推定値を決定するための手段と、
前記ＵＥによって、サービング基地局に測定報告を送信するための手段と、ここにおいて、前記測定報告は前記ＣＣＡ結果情報推定値を含む、
を備える、装置。
【請求項１５】
ワイヤレスネットワークにおけるワイヤレス通信のためのコンピュータプログラム製品であって、
コンピュータに、請求項１−１２のうちのいずれか一項に記載の方法のそれぞれのステップを実行させるためのプログラムコードを記録したコンピュータ可読媒体を備える、コンピュータプログラム製品。
【手続補正２】
【補正対象書類名】明細書
【補正対象項目名】００８０
【補正方法】変更
【補正の内容】
【００８０】
[0086]本開示についての以上の説明は、いかなる当業者でも本開示を作製または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
基地局によって、複数の近隣基地局についてのクリアチャネルアセスメント（ＣＣＡ）結果情報を取得することと、
前記基地局によって、前記基地局によってサービスされる１つまたは複数のユーザ機器（ＵＥ）についての制御シグナリングを生成することと、ここにおいて、前記制御シグナリングは前記ＣＣＡ結果情報に少なくとも部分的に基づく、
前記１つまたは複数のＵＥに前記制御シグナリングを送信することと、
を備える、ワイヤレス通信の方法。
［Ｃ２］
前記取得することは、
前記基地局によって、前記複数の近隣基地局のうちの少なくとも１つへのバックホール通信リンクを介して前記ＣＣＡ結果情報を受信することと、
前記基地局によって、前記１つまたは複数のＵＥから前記ＣＣＡ結果情報を受信することと、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出することと、
のうちの１つまたは複数を含む、Ｃ１に記載の方法。
［Ｃ３］
前記基地局によって、複数の送信フレームにわたって前記複数の近隣基地局のうちの１つまたは複数の近隣基地局から検出された干渉に基づいてヒステリシス干渉情報を取得することと、
前記基地局によって、非同期動作を有する少なくとも１つの近隣基地局に関連する前記ヒステリシス干渉情報を、前記複数の基地局のうちの他の近隣基地局から識別することと、ここにおいて、前記制御シグナリングは、さらに、前記少なくとも１つの近隣基地局に関連する前記ヒステリシス干渉情報に基づいて生成される、
をさらに含む、Ｃ１に記載の方法。
［Ｃ４］
前記ヒステリシス干渉情報を前記取得することは、
前記基地局によって、前記基地局についての失敗したＣＣＡを検出することと、
前記基地局によって、前記基地局において経験される前記干渉を測定することと、
前記測定された干渉に少なくとも部分的に基づいて前記ヒステリシス干渉情報を生成することと、
を含む、Ｃ３に記載の方法。
［Ｃ５］
前記１つまたは複数のＵＥからＵＥ干渉情報を受信することをさらに含み、
前記ヒステリシス干渉情報を前記生成することは、前記ＣＣＡ結果情報と前記ＵＥ干渉情報とのうちの１つまたは複数を使用して前記測定された干渉を重み付けすることを含む、
Ｃ４に記載の方法。
［Ｃ６］
前記ヒステリシス干渉情報を前記取得することは、測定報告の一部として前記１つまたは複数のＵＥから前記ヒステリシス干渉情報を受信することを含む、Ｃ３に記載の方法。
［Ｃ７］
前記基地局によって、前記ヒステリシス干渉情報に基づいて前記基地局と前記少なくとも１つの近隣基地局との間の１つまたは複数のタイミングオフセットを決定することをさらに含み、
前記制御シグナリングは、さらに、前記１つまたは複数のタイミングオフセットに基づいて生成される、
Ｃ３に記載の方法。
［Ｃ８］
前記基地局によって、ＷｉＦｉ（登録商標）送信を有する少なくとも１つの近隣ＷｉＦｉ基地局に関連する前記ヒステリシス干渉情報を識別することをさらに含み、
前記制御シグナリングは、さらに、前記少なくとも１つの近隣ＷｉＦｉ基地局に関連する前記ヒステリシス干渉情報に基づいて生成される、
Ｃ３に記載の方法。
［Ｃ９］
ユーザ機器（ＵＥ）によって、複数の近隣基地局についてのクリアチャネルアセスメント（ＣＣＡ）結果情報を示す送信信号を検出することと、
前記ＵＥによって、ＣＣＡ結果情報を示す前記送信信号に基づいて前記複数の近隣基地局についてのＣＣＡ結果情報推定値を決定することと、
前記ＵＥによって、サービング基地局に測定報告を送信することと、ここにおいて、前記測定報告は前記ＣＣＡ結果情報推定値を含む、
を備える、ワイヤレス通信の方法。
［Ｃ１０］
ＣＣＡ結果情報を示す前記送信信号は複数の送信フレームにわたって検出され、
前記ＣＣＡ結果情報推定値は前記複数の送信フレームにわたって決定される、
Ｃ９に記載の方法。
［Ｃ１１］
ＣＣＡ結果情報を示す前記送信信号は、チャネル使用ビーコン信号（ＣＵＢＳ）とチャネル状態情報基準信号（ＣＳＩ−ＲＳ）とのうちの１つまたは複数を含む、Ｃ９に記載の方法。
［Ｃ１２］
前記ＵＥによって、複数の送信フレームにわたって前記複数の近隣基地局から干渉状態を検出することと、
前記干渉状態を、前記複数の近隣基地局からの前記ＵＥにおける干渉に関連するヒステリシス干渉情報に処理することと、ここにおいて、前記ヒステリシス干渉情報は前記測定報告中に含まれる、
をさらに含む、Ｃ９に記載の方法。
［Ｃ１３］
ワイヤレス通信のために構成された装置であって、
基地局によって、複数の近隣基地局についてのクリアチャネルアセスメント（ＣＣＡ）結果情報を取得するための手段と、
前記基地局によって、前記基地局によってサービスされる１つまたは複数のユーザ機器（ＵＥ）についての制御シグナリングを生成するための手段と、ここにおいて、前記制御シグナリングは前記ＣＣＡ結果情報に少なくとも部分的に基づく、
前記１つまたは複数のＵＥに前記制御シグナリングを送信するための手段と、
を備える、装置。
［Ｃ１４］
取得するための前記手段は、
前記基地局によって、前記複数の近隣基地局のうちの少なくとも１つへのバックホール通信リンクを介して前記ＣＣＡ結果情報を受信するための手段と、
前記基地局によって、前記１つまたは複数のＵＥから前記ＣＣＡ結果情報を受信するための手段と、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出するための手段と、
のうちの１つまたは複数を含む、Ｃ１３に記載の装置。
［Ｃ１５］
前記基地局によって、複数の送信フレームにわたって前記複数の近隣基地局のうちの１つまたは複数の近隣基地局から検出された干渉に基づいてヒステリシス干渉情報を取得するための手段と、
前記基地局によって、非同期動作を有する少なくとも１つの近隣基地局に関連する前記ヒステリシス干渉情報を、前記複数の基地局のうちの他の近隣基地局から識別するための手段と、ここにおいて、前記制御シグナリングは、さらに、前記少なくとも１つの近隣基地局に関連する前記ヒステリシス干渉情報に基づいて生成される、
をさらに含む、Ｃ１３に記載の装置。
［Ｃ１６］
前記ヒステリシス干渉情報を取得するための前記手段は、
前記基地局によって、前記基地局についての失敗したＣＣＡを検出するための手段と、
前記基地局によって、前記基地局において経験される前記干渉を測定するための手段と、
前記測定された干渉に少なくとも部分的に基づいて前記ヒステリシス干渉情報を生成するための手段と、
を含む、Ｃ１５に記載の装置。
［Ｃ１７］
前記１つまたは複数のＵＥからＵＥ干渉情報を受信するための手段をさらに含み、
前記ヒステリシス干渉情報を生成するための前記手段は、前記ＣＣＡ結果情報と前記ＵＥ干渉情報とのうちの１つまたは複数を使用して前記測定された干渉を重み付けするための手段を含む、
Ｃ１６に記載の装置。
［Ｃ１８］
前記ヒステリシス干渉情報を取得するための前記手段は、測定報告の一部として前記１つまたは複数のＵＥから前記ヒステリシス干渉情報を受信するための手段を含む、Ｃ１５に記載の装置。
［Ｃ１９］
前記基地局によって、前記ヒステリシス干渉情報に基づいて前記基地局と前記少なくとも１つの近隣基地局との間の１つまたは複数のタイミングオフセットを決定するための手段をさらに含み、
前記制御シグナリングは前記１つまたは複数のタイミングオフセットに基づいてさらに生成される、
Ｃ１５に記載の装置。
［Ｃ２０］
前記基地局によって、ＷｉＦｉ送信を有する少なくとも１つの近隣ＷｉＦｉ基地局に関連する前記ヒステリシス干渉情報を識別するための手段をさらに含み、
前記制御シグナリングは、前記少なくとも１つの近隣ＷｉＦｉ基地局に関連する前記ヒステリシス干渉情報に基づいてさらに生成される、
Ｃ１５に記載の装置。
［Ｃ２１］
ワイヤレスネットワークにおけるワイヤレス通信のためのコンピュータプログラム製品であって、
プログラムコードを記録した非一時的コンピュータ可読媒体を備え、前記プログラムコードは、
基地局によって、複数の近隣基地局についてのクリアチャネルアセスメント（ＣＣＡ）結果情報を取得することをコンピュータに行わせるためのプログラムコードと、
前記基地局によって、前記基地局によってサービスされる１つまたは複数のユーザ機器（ＵＥ）についての制御シグナリングを生成することを前記コンピュータに行わせるためのプログラムコードと、ここにおいて、前記制御シグナリングは前記ＣＣＡ結果情報に少なくとも部分的に基づく、
前記１つまたは複数のＵＥに前記制御シグナリングを送信することを前記コンピュータに行わせるためのプログラムコードと、
を含む、コンピュータプログラム製品。
［Ｃ２２］
取得することを前記コンピュータに行わせるための前記プログラムコードは、
前記基地局によって、前記複数の近隣基地局のうちの少なくとも１つへのバックホール通信リンクを介して前記ＣＣＡ結果情報を受信することを前記コンピュータに行わせるためのプログラムコードと、
前記基地局によって、前記１つまたは複数のＵＥから前記ＣＣＡ結果情報を受信することを前記コンピュータに行わせるためのプログラムコードと、ここにおいて、前記ＣＣＡ結果情報は、複数の送信フレームにわたる前記１つまたは複数のＵＥの測定報告中の前記ＣＣＡ結果情報を示す送信信号の測定推定値から決定される、
前記基地局によって、前記複数の送信フレームにわたって前記複数の近隣基地局のうちの１つまたは複数から前記ＣＣＡ結果情報を示す送信信号を検出することを前記コンピュータに行わせるためのプログラムコードと、
のうちの１つまたは複数を含む、Ｃ２１に記載のコンピュータプログラム製品。
［Ｃ２３］
前記基地局によって、複数の送信フレームにわたって前記複数の近隣基地局のうちの１つまたは複数の近隣基地局から検出された干渉に基づいてヒステリシス干渉情報を取得することを前記コンピュータに行わせるためのプログラムコードと、
前記基地局によって、非同期動作を有する少なくとも１つの近隣基地局に関連する前記ヒステリシス干渉情報を、前記複数の基地局のうちの他の近隣基地局から識別することを前記コンピュータに行わせるためのプログラムコードと、ここにおいて、前記制御シグナリングは、さらに、前記少なくとも１つの近隣基地局に関連する前記ヒステリシス干渉情報に基づいて生成される、
をさらに含む、Ｃ２１に記載のコンピュータプログラム製品。
［Ｃ２４］
前記ヒステリシス干渉情報を取得することを前記コンピュータに行わせるための前記プログラムコードは、
前記基地局によって、前記基地局についての失敗したＣＣＡを検出することを前記コンピュータに行わせるためのプログラムコードと、
前記基地局によって、前記基地局において経験される前記干渉を測定することを前記コンピュータに行わせるためのプログラムコードと、
前記測定された干渉に少なくとも部分的に基づいて前記ヒステリシス干渉情報を生成することを前記コンピュータに行わせるためのプログラムコードと、
を含む、Ｃ２３に記載のコンピュータプログラム製品。
［Ｃ２５］
前記１つまたは複数のＵＥからＵＥ干渉情報を受信することを前記コンピュータに行わせるためのプログラムコードをさらに含み、
前記ヒステリシス干渉情報を生成することを前記コンピュータに行わせるための前記プログラムコードは、前記ＣＣＡ結果情報と前記ＵＥ干渉情報とのうちの１つまたは複数を使用して前記測定された干渉を重み付けすることを前記コンピュータに行わせるためのプログラムコードを含む、
Ｃ２４に記載のコンピュータプログラム製品。
［Ｃ２６］
前記ヒステリシス干渉情報を取得することを前記コンピュータに行わせるための前記プログラムコードは、測定報告の一部として前記１つまたは複数のＵＥから前記ヒステリシス干渉情報を受信することを前記コンピュータに行わせるためのプログラムコードを含む、Ｃ２３に記載のコンピュータプログラム製品。
［Ｃ２７］
前記基地局によって、前記ヒステリシス干渉情報に基づいて前記基地局と前記少なくとも１つの近隣基地局との間の１つまたは複数のタイミングオフセットを決定することを前記コンピュータに行わせるためのプログラムコードをさらに含み、
前記制御シグナリングは、さらに、前記１つまたは複数のタイミングオフセットに基づいて生成される、
Ｃ２３に記載のコンピュータプログラム製品。
［Ｃ２８］
前記基地局によって、ＷｉＦｉ送信を有する少なくとも１つの近隣ＷｉＦｉ基地局に関連する前記ヒステリシス干渉情報を識別することを前記コンピュータに行わせるためのプログラムコードをさらに含み、
前記制御シグナリングは、さらに、前記少なくとも１つの近隣ＷｉＦｉ基地局に関連する前記ヒステリシス干渉情報に基づいて生成される、
Ｃ２３に記載のコンピュータプログラム製品。